(57)【特許請求の範囲】
【請求項１】
本体枠内に設けられ、食品を収納する加熱室と、
前記本体枠の左右うち一方側に設けられた重量物と、
前記加熱室にアクセスするために設けられ、前記加熱室の奥行き方向に開閉するためのドアと、
前記ドアの開閉時に前記ドアを支持する前記本体枠の左右うち一方側および他方側に設けられた第１および第２のドア支持部材と、
前記ドア上の前記本体枠の左右うち一方側および他方側に設けられた第１および第２のドア固定点と、前記本体枠上の前記本体枠の左右うち一方側および他方側に設けられた第１および第２の本体支点と、前記第１および第２のドア固定点に一端を固定された第１および第２のドアアームとを備え、
前記第１および第２のドアアームは、前記ドアの開閉時の前記第１および第２のドア固定点の移動に基づいて、前記第１および第２の本体支点を支点として回動し、
前記ドアの開時に、前記第１および第２のドアアームの他端は、前記第１および第２のドア支持部材に突き当たり、
前記第１の本体支点から前記第１のドア支持部材までの第１の距離は、前記第２の本体支点から前記第２のドア支持部材までの第２の距離よりも短いことを特徴とする加熱調理装置。
【請求項２】
前記第１の距離は、前記第２の距離の１／１０〜３／１０である、請求項１に記載の加熱調理装置。
【請求項３】
前記ドアを開く際に、前記第２のドアアームの他端が前記第２のドア支持部材に突き当たるより先に、前記第１のドアアームの他端が前記第１のドア支持部材に突き当たる、請求項１または請求項２に記載の加熱調理装置。
【発明の詳細な説明】
【０００１】
【発明の属する技術分野】
本発明は、電子レンジ等の加熱調理装置に関し、特に、バランスの良い加熱調理装置に関する。
【０００２】
【従来の技術】
図４（ａ）に、上記のような加熱調理装置の一例の電子レンジの斜視図を示す。電子レンジ１は、主に、本体２とドア３とからなる。本体２には、本体２の外郭を覆う外装部４と、コントロールパネル６と、複数の脚８が設けられている。なお、コントロールパネル６は、ユーザが電子レンジ１を操作するために、電子レンジ１の前面に設けられている。また、ドア３には、ユーザがドア３を開閉する際につかむ取手３ａが設けられている。
【０００３】
図４（ｂ）は、図４（ａ）のドア３が手前に開かれた状態を示している。ドア３の奥の本体２内部には、加熱室５０が設けられている。また、電子レンジ１では、加熱室５０内の食品を加熱するための図示せぬマグネトロンと、該マグネトロンに電力を供給する図示せぬトランス（後述するトランス５４）が、コントロールパネル６の奥、つまり加熱室５０の右側に備えられている。電子レンジ１等の加熱調理装置に備えられるトランスの重さは、一般には約３．５ｋｇ程度である。なお、電子レンジ１等の加熱調理装置全体の重さは、一般に、おおよそ１５ｋｇ程度なので、トランスの重量は、加熱調理装置の全重量の約２０％を占めている。つまり、電子レンジ１は、右側に重量物が設けられため、右側に重心が偏っている（以下、「右に偏重心である」という）。
【０００４】
次に、電子レンジ１の内部構造およびドア３と本体枠５を接続するための部材について説明する。図５は、電子レンジ１の大まかな分解斜視図である。電子レンジ１においては、底板７上に本体枠５が載置され、固定される。本体枠５は、加熱室５０と、後述するドア３と本体枠５の接続部材を通すための接続部材用孔５２と、前述のコントロールパネル６を嵌め込むためのコントロールパネル用孔５３とを主に備えている。そして、本体枠５にトランス５４（図６参照）を含む種々の部品が取付けられた後、外装部４が本体枠５に被せられる。
【０００５】
本体枠５は、加熱室５０の左右両方の外壁に、ドア３を接続するための部材を備えている。図６は、本体枠５の右側の壁に備えられた支持部材の構造を説明するための図であり、図７は、本体枠５の左側の壁に備えられた接続部材の構造を説明するための図である。なお、ドア３は、接続部材を内部に備えているため、図６および図７では、ドア３を一部破断して記載している。
【０００６】
図６（ａ）は、ドア３が閉じた状態を示し、図６（ｂ）は、ドア３が開いた状態を示す。図６を参照して、本体枠５の右側の壁には、トランス５４が取付けられ、さらに、ローラ台２５６が取付けられている。トランス５４は、加熱室５０を加熱するための図示せぬマグネトロンに電力を供給するためのものである。また、ローラ台２５６上には、ドア支え板２５８の一部とローラ２５７が取付けられている。また、ばね２５９の一端は、ローラ台２５６に取付けられている。そして、ばね２５９の他端は、ドアアーム２５５の一端に取付けられている。
【０００７】
ドア３は、回動板２３１を備えている。回動板２３１上には、ドアアーム支点２３２とドア回動支点２３３が設けられている。そして、ドアアーム２５５の他端は、ドアアーム支点２３２に固定され、また、ドア支え板２５８の一端は、ドア回動支点２３３に固定されている。
【０００８】
ドア３を開くと、つまり、ドア３を図６（ａ）の状態から図６（ｂ）の状態に変化させると、ドアアーム２５５は、ローラ２５７との接点をずらしながら、ローラ２５７との接点を支点として反時計方向に回転する。なお、ローラ２５７には、ローラガイド２５７ａが設けられている。そして、ドアアーム２５５は、ローラ２５７上を、ローラガイド２５７ａとローラ台２５６との間を通りながら、回転する。
【０００９】
ローラ台２５６上部には、ドア３と対向するところを、部分的に手前側に折曲げられることにより、ストッパ２５６ａが形成されている。そして、図６（ｂ）に示すようにドア３を開くと、ドアアーム２５５の対向部２５５ａは、ストッパ２５６ａに突き当たるように構成されている。
【００１０】
次に、本体枠５の左側の支持部材について説明する。図７（ａ）は、ドア３を閉じた状態を示し、図７（ｂ）は、ドア３を開いた状態を示す。ドア３および本体枠５は、接続部材を左右対称に備えている。したがって、図７に示す回動板３３１，ドアアーム支点３３２，ドア回動支点３３３は、それぞれ、図６の回動板２３１，ドアアーム支点２３２，ドア回動支点２３３と同じ働きをする。また、図７に示すドアアーム３５５，対向部３５５ａ，ローラ台３５６，ストッパ３５６ａ，ローラ３５７，ローラガイド３５７ａ，ドア支え板３５８，ばね３５９は、それぞれ、図６のドアアーム２５５，対向部２５５ａ，ローラ台２５６，ストッパ２５６ａ，ローラ２５７，ローラガイド２５７ａ，ドア支え板２５８，ばね２５９と同じ働きをする。なお、ローラ台３５６は、本体枠５の左側の壁に取付けられている。そして、図７（ｂ）に示すようにドア３を開くと、ドアアーム３５５は、ローラ３５７との接点を移動させながら、ローラ３５７との接点を支点として、図の時計方向に回転する。また、図７（ｂ）の状態では、対向部３５５ａは、ストッパ３５６ａに突き当たる。
【００１１】
図６（ｂ）または図７（ｂ）に示すようなドア３を開いた状態では、ドアアーム２５５，３５５は、ドア３を支えるために、ドア３の荷重を受ける。そして、ストッパ２５６ａ，３５６ａは、ドアアーム２５５，３５５を支えるために、力を加えられる。このときストッパ２５６ａ，３５６ａに働く力について説明する。
【００１２】
ドア３を開いた状態では、ドアアーム２５５，３５５は、ドア３から、ドアアーム支点２３２，３３２に、下向きの力を受ける。ここで、ドアアーム２５５，３５５は、それぞれ、ローラ２５７，３５７を支点とした梃子として働き、ドア３から下向きの力を受けることにより、ばね２５９，３５９を引っ張りかつストッパ２５６ａ，３５６ａを押す。
【００１３】
本体枠５には、ドアアーム２５５，３５５等のドア３と接続するための接続部材が、左右対称に備えられている。したがって、ドアアーム２５５，３５５がドア３から力を受けた場合、ストッパ２５６ａ，３５６ａは同じ大きさの力で押され、また、ばね２５９，３５９は同じ大きさの力で引っ張られる。なお、ばね２５９，３５９として通常使用されるばねのばね定数を考慮すると、ばね２５９，３５９が引っ張られる力は、ストッパ２５６ａ，３５６ａが押される力と比較してかなり小さい。したがって、ドアアーム２５５，３５５に荷重がかけられた場合、主に、ストッパ２５６ａ，３５６ａに力がかかると考えられる。
【００１４】
【発明が解決しようとする課題】
しかしながら、電子レンジ１は、ドア３を開く場合や開いたドア３上に誤って加熱後の食品を置いた場合等に、ドア３を支持するドアアーム２５５，３５５に当接するストッパ２５６ａ，３５６ａに同じ大きさの力がかかると、却って左右のバランスを崩し、倒れてしまう場合がある。これは、電子レンジ１が右に偏重心でバランスが悪いからである。つまり、左側のストッパ３５６ａは、右側のストッパ２５６ａよりもトランス５４からの距離が長いため、トランス５４の錘としての作用をストッパ２５６ａよりも受けにくい。これにより、ドアアーム２５５，３５５に荷重がかけられた場合、ストッパ３５６ａの方が、ストッパ２５６ａよりも耐えられる力が小さくなる。そして、このような、耐えられる力の大きさの差が、電子レンジ１の倒れる原因となる。
【００１５】
このような場合、左側のストッパ３５６ａがより大きな力に耐えられるようにするため、電子レンジ１の本体２の左側に、従来の構成要素とは別に、トランス５４の重量分の金属等を「錘」として搭載することが考えられる。しかし、金属等を新たに搭載することは、コスト増を招き、好ましくない。また、金属以外の物質を「錘」として搭載しようとすると、電子レンジ１の体積が大きくなりすぎてしまい、好ましくない。
【００１６】
また、電子レンジ１の脚８を短くすることにより、電子レンジ１自体の重心をより低くして、倒れにくくすることも考えられる。しかし、加熱室５０内の食品を加熱する際に、トランス５４は発熱する。そして、該発熱したトランス５４を冷却するための風の通り道を確保するため、脚８は、ある程度の長さを必要とされる。したがって、電子レンジ１の脚８を短くすることも好ましくない。
【００１７】
本発明は、係る実情に鑑み考え出されたものであり、その目的は、より低コストで、より倒れにくい加熱調理装置を提供することである。
【００１８】
【課題を解決するための手段】
請求項１に記載の発明にかかる加熱調理装置は、本体枠内に設けられ、食品を収納する加熱室と、前記本体枠の左右うち一方側に設けられた重量物と、前記加熱室にアクセスするために設けられ、前記加熱室の奥行き方向に開閉するためのドアと、前記ドアの開閉時に前記ドアを支持する前記本体枠の左右うち一方側および他方側に設けられた第１および第２のドア支持部材と、前記ドア上の前記本体枠の左右うち一方側および他方側に設けられた第１および第２のドア固定点と、前記本体枠上の前記本体枠の左右うち一方側および他方側に設けられた第１および第２の本体支点と、前記第１および第２のドア固定点に一端を固定された第１および第２のドアアームとを備え、前記第１および第２のドアアームは、前記ドアの開閉時の前記第１および第２のドア固定点の移動に基づいて、前記第１および第２の本体支点を支点として回動し、前記ドアの開時に、前記第１および第２のドアアームの他端は、前記第１および第２のドア支持部材に突き当たり、前記第１の本体支点から前記第１のドア支持部材までの第１の距離は、前記第２の本体支点から前記第２のドア支持部材までの第２の距離よりも短いことを特徴としている。
【００１９】
請求項１に記載の発明によると、本体枠の左右うち一方側にあり、重量物の錘としての効果を第２のドア支持部材よりも受けやすい第１のドア支持部材が、第２のドア支持部材より大きい重量を支持する。
【００２０】
また、第１および第２のドアアームは、ドアの開閉時に、第１および第２の本体支点を支点とした梃子として作用する。そして、ドアの開時には、第１および第２のドア支持部材は、梃子である第１および第２のドアアームの作用点として、第１および第２のドアアームを介してドアを支持する。このとき、第１のドアアームについての支点から作用点までの距離は、第２のドアアームについての支点から作用点までの距離より短くなる。
【００２１】
これにより、本体枠の左右うち一方側に重量物を設けた加熱調理装置のバランスを、加熱調理装置に改めて錘等を搭載することなく、極力整えることができる。
【００２２】
また、より容易に、ドアの開時に、本体枠の左右うち重量物のある側の第１のドア支持部材が、重量物のない側の第２のドア支持部材よりも大きい重量を支持する構成が開示される。
【００２３】
したがって、より容易に、低コストで、倒れにくい加熱調理装置を提供することができる。
【００２４】
請求項２に記載の発明にかかる加熱調理装置は、請求項２に記載の発明にかかる加熱調理装置の構成に加えて、前記第１の距離は、前記第２の距離の１／１０〜３／１０であることを特徴としている。
【００２５】
請求項２に記載の発明によると、請求項２に記載の発明の作用に加えて、第１および第２のドアアームが、第１および第２の本体支点を支点としかつ第１および第２のドア支持部材を作用点とした梃子として作用する際に、第１のドアアームについての支点から作用点までの距離が、第２のドアアームについての支点から作用点までの距離の１／１０〜３／１０となる。
【００２６】
これにより、請求項１に記載の発明による効果に加えて、より容易に、ドアの開時に、本体枠の左右うち重量物のある側の第１のドア支持部材が、重量物のない側の第２のドア支持部材よりも大きい重量を支持する構成が開示される。したがって、より容易に、低コストで、倒れにくい加熱調理装置を提供することができる。
【００２７】
請求項３に記載の発明にかかる加熱調理装置は、請求項１または請求項２に記載の発明にかかる加熱調理装置の構成に加えて、前記ドアを開く際に、前記第２のドアアームの他端が前記第２のドア支持部材に突き当たるより先に、前記第１のドアアームの他端が前記第１のドア支持部材に突き当たることを特徴としている。
【００２８】
請求項３に記載の発明によると、請求項１または請求項２に記載の発明による作用に加えて、第１および第２のドアアームが、第１および第２の本体支点を支点としかつ第１および第２のドア支持部材を作用点とした梃子として作用する際に、第１のドアアームについての作用点に、第２のドアアームについての作用点よりも、ドア３を支持するための力がかかりやすくなる。
【００２９】
これにより、より容易に、ドアの開時に、本体枠の左右うち重量物のある側の第１のドア支持部材が、重量物のない側の第２のドア支持部材よりも大きい重量を支持する構成が開示される。したがって、より容易に、低コストで、倒れにくい加熱調理装置を提供することができる。
【００３０】
【発明の実施の形態】
以下、図面を用いて、本発明の加熱調理装置の実施の形態の一例を説明する。
【００３１】
図１に、本発明の加熱調理装置の一例の電子レンジの本体とドアの接続部材を示す。なお、図１は、電子レンジ１の本体枠５（図５参照）とドア３（図４参照）との、本発明に従った接続部材を示す。また、図１（ａ）は、本体枠５の加熱室５０の左側にある接続部材を示し、図１（ｂ）は、右側にある接続部材を示す。なお、図１（ａ）および図１（ｂ）は、ともに、ドア３を開いた状態を示す。
【００３２】
本実施の形態では、本体枠５の左壁面上に、ローラ台３５６（図７参照）の代わりにローラ台１５６（図１（ａ）参照）が、右壁面上に、ローラ台２５６（図６参照）の代わりにローラ台５６（図１（ｂ）参照）が、それぞれ取付けられている。ローラ台１５６上、およびローラ台５６上には、それぞれドア支え板１５８，５８の一部とローラ１５７，５７が取付けられている。また、ばね１５９，５９の一端は、それぞれローラ台１５６，５６に取付けられている。そして、ばね１５９，５９の他端は、それぞれドアアーム１５５，５５の一端に取付けられている。
【００３３】
ドア３は、回動板１３１（図１（ａ）参照）および回動板３１（図１（ｂ）参照）を備えている。回動板１３１，３１上には、それぞれ、ドアアーム支点１３２，３２とドア回動支点１３３，３３が設けられている。そして、ドアアーム１５５，５５の一端は、それぞれ、ドアアーム支点１３２，３２に固定されている。また、ドア支え板１５８，５８の一端は、それぞれ、ドア回動支点１３３，３３に固定されている。
【００３４】
ドア３を開き図１（ａ）および図１（ｂ）に示す状態にするとき、ドア３は、ドア回動支点１３３を支点として図１（ａ）の反時計方向に、また、ドア回動支点３３を支点として図１（ｂ）時計方向に、回転する。このとき、ドアアーム１５５は、ローラ１５７との接点を、その右端から左端に向けて移動させながら、ローラ１５７との接点を支点として、反時計方向に回転する。また、ドアアーム５５は、ローラ５７との接点を、その左端から右端に向けて移動させながら、ローラ５７との接点を支点として、時計方向に回転する。なお、ローラ１５７，５７のそれぞれ一端には、ローラ１５７，５７上を移動するドアアーム１５５，５５をガイドするためのローラガイド１５７ａ，５７ａが設けられている。そして、ドアアーム１５５，５５は、それぞれ、ローラ台１５６，５６とローラガイド１５７ａ，５７ａの間を通過する。なお、ドア３を閉じると、ローラ１５７，５７は、それぞれドアアーム１５５，５５上の凹部１５５ｂ，５５ｂに嵌め込まれる。
【００３５】
以上、電子レンジ１では、主に、本体枠５、ドアアーム５５，１５５、ローラ台５６、１５６、ローラ５７，１５７、回動板３１、１３１およびドアアーム支点３２，１３２により、ドア３と本体枠５の接続部材が構成されている。
【００３６】
図１（ａ）を参照して、ローラ台１５６の上部が部分的に手前に折曲げられることにより、ストッパ１５６ａが形成されている。そして、ドアアーム１５５の対向部１５５ａがストッパ１５６ａに突き当たることにより、ドアアーム１５５は、図１（ａ）に示す状態以上に時計方向に回転することを停止される。
【００３７】
図１（ｂ）を参照して、ドアアーム５５の、ばね５９との接点近傍の垂直な部分がローラ台５６に向けて折曲げられることにより、折返し部５５ａが形成されている。そして、折返し部５５ａがローラ台５６の右上部の対向部５６ａに突き当たることにより、ドアアーム５５は、図１（ｂ）に示す状態以上に反時計方向に回転することを停止される。
【００３８】
図１（ａ）および図１（ｂ）に示すドア３が開いた状態では、ドアアーム５５，１５５は、ドア３を支えるために、対向部５６ａ，ストッパ１５６ａに力を及ぼす。電子レンジ１の接続部材が左右対称であれば、ドアアーム５５が対向部５６ａに及ぼす力とドアアーム１５５がストッパ１５６ａに及ぼす力という２つの力の大きさは等しくなる。しかし、本実施の形態の電子レンジ１の接続部材の構造は、左右対称ではない。これにより、上記の２つの力の大きさは、異なる。以下、上記の２つの力の大きさが異なることについて、図１を参照して説明する。
【００３９】
なお、ドアアーム５５，１５５は、ドア３を支えるために、ばね５９，１５９を引っ張る。しかし、上記の２つの力の大きさに比べて、ばね５９，１５９を引っ張る力は、通常、かなり小さいと考えられる。そこで、本実施の形態では、ドア３を支える際にドアアーム５５，１５５が及ぼす力として、上記の２つの力のみを考慮し、ばね５９，１５９を引っ張る力を考慮しないこととする。
【００４０】
ドア３を支える場合には、ドアアーム５５，１５５は、それぞれ梃子として働くと考えられる。ドア３が開いた状態では、ドアアーム支点３２，１３２は力点となり、ローラ５７，１５７との接点は支点となり、対向部５６ａ，ストッパ１５６ａとの接点は作用点となる。そして、ドア３が開いた状態では、対向部５６ａ，ストッパ１５６ａが、ドアアーム５５，１５５を介して、ドア３を支えるのである。つまり、上記の２つの力が、ドア３を支える力に相当する。
【００４１】
一方、梃子の原理では、力点から支点までの距離が等しくかつ力点に同じ力が加えられた場合、支点から作用点までの距離が近いほど作用点で作用する力は大きくなる。本実施の形態においては、ドア３が開いた状態において、ドア３と本体枠５の接続部材では、右側の梃子（ドアアーム５５）の支点から作用点までの距離（Ｂ）の方が左側の梃子（ドアアーム１５５）の対応する距離（Ａ）よりも短くなっている。つまり、ローラ５７から折返し部５５ａまでの距離（Ｂ）は、ローラ１５７から対向部１５５ａまでの距離（Ａ）よりも短くなっている。一方、ドアアーム支点３２，１３２は、ドア３からドアアーム５５，１５５の双方に同じ大きさの力が加えられる位置に設けられている。したがって、右側の梃子の作用点には、左側の梃子の作用点よりも大きな力が加えられる。つまり、ドアアーム５５が対向部５６ａに及ぼす力とドアアーム１５５がストッパ１５６ａに及ぼす力という２つの力では、前者の力の大きさの方が後者の力の大きさよりも大きい。
【００４２】
したがって、本実施の形態の電子レンジ１においては、対向部５６ａとストッパ１５６ａが、ドアアーム５５とドアアーム１５５を介して、開いた状態にあるドア３を支持する場合、対向部５６ａが支持する重量は、ストッパ１５６ａが支持する重量よりも大きいことになる。
【００４３】
つまり、電子レンジ１の正面から見て、トランス５４が備えられた側にある対向部５６ａが支持する重量は、トランス５４が備えられた側と反対側にあるストッパ１５６ａが支持する重量よりも大きい。これにより、改めて錘等の部材を搭載することなく、電子レンジ１の左右のバランスを極力整えることができ、ドア３を開いたときに、電子レンジ１を倒れにくくすることができる。つまり、より低コストで、倒れにくい加熱調理装置を提供することができる。
【００４４】
なお、ローラ５７から折返し部５５ａまでの距離（Ｂ）とローラ１５７から対向部１５５ａまでの距離（Ａ）の比は、たとえば、Ｂ／Ａ＝３／１０とすることができる。なお、電子レンジ１の全体的な構造から考えると、Ｂ／Ａ＝１／１０〜３／１０が好ましい範囲と考えられる。
【００４５】
以上説明した本実施の形態では、トランス５４により、加熱室に対して第１の方向の一方側に設けられた重量物が構成されている。なお、第１の方向とは、水平方向である。この第１の方向を、電子レンジ１に対応させて示すと、図２の両矢印Ｐに示す方向となる。なお、図２は、図４（ａ）と同様の、電子レンジ１の斜視図である。
【００４６】
また、ドア３により、加熱室にアクセスするために設けられ、第１の方向と交わる第２の方向に開閉するためのドアが構成されている。なお、第２の方向とは、電子レンジ１の奥行き方向であり、図２の両矢印Ｑで示す方向である。
【００４７】
また、対向部５６ａおよびストッパ１５６ａにより、ドアの開閉時にドアを支持する第１の方向の一方側および他方側に設けられた第１および第２のドア支持部材が構成されている。また、本実施の形態では、主に、本体枠５、ドアアーム５５，１５５、ローラ台５６，１５６、ローラ５７，１５７、回動板３１、１３１およびドアアーム支点３２，１３２により接続部材が構成される。そして、この接続部材では、上述のように、開いた状態にあるドア３を支持する場合、第２のドア支持部材の支持する重量より大きくなるよう調整する調整機構が構成されている。
【００４８】
また、本体枠５により、加熱室を囲む本体枠が構成されている。そして、ドアアーム支点３２および１３２により、ドア上の、第１の方向の一方側および他方側に設けられた第１および第２のドア固定点が構成されている。また、ローラ５７および１５７により、本体枠上の、第１の方向の一方側および他方側に設けられた第１および第２の本体支点が構成されている。さらに、ドアアーム５５および１５５により、第１および第２のドア固定点に一端を固定された第１および第２のドアアームが構成されている。
【００４９】
なお、本実施の形態の加熱調理装置の変形例として、トランス５４という錘を備えた電子レンジ１を倒れにくくするために、ドアを開く際に、第２のドアアームの他端（対向部１５５ａ）が第２のドア支持部材（ストッパ１５６ａ）に突き当たるより先に、第１のドアアームの他端（折返し部５５ａ）が第１のドア支持部材（対向部５６ａ）に突き当たるように構成してもよい。このような構成を図１および図３を用いて説明する。
【００５０】
図３は、図１（ｂ）の接続部材の変形例を示す図であり、図１（ｂ）のローラ台５６の対向部５６ａ付近を拡大した図に相当する。図３に記載した接続部材は、図１（ｂ）に記載した部材の中の、ドアアーム５５上に形成された折返し部５５ａの形状を折返し部５５ｃに変更したものである。図３中の折返し部５５ｃは、図１（ｂ）の折返し部５５ａを、その下端を支点として図の時計方向に回転移動させた位置に形成されている。
【００５１】
これにより、ドア３を開いたとき、図３の折返し部５５ｃがローラ台５６の対向部５６ａに接触した後で、ドアアーム５５およびローラ台５６が撓うことによりドア３がさらに開き、図１（ａ）のドアアーム１５５の対向部１５５ａがストッパ１５６ａに接触する。したがって、ドア３の荷重が、より、ストッパ１５６ａよりも対向部５６ａにかかりやすくなる。これにより、加熱調理装置の一例である電子レンジ１のバランスを、極力整えることができる。
【図面の簡単な説明】
【図１】本発明に従った加熱調理装置の本体とドアの接続部材を示す図である。
【図２】本実施の形態の加熱調理装置についての第１の方向および第２の方向を説明するための図である。
【図３】図１の接続部材の変形例を示す図である。
【図４】加熱調理装置の一例の電子レンジの斜視図である。
【図５】図４に示した電子レンジの枠部分の分解斜視図である。
【図６】加熱調理装置のドアと本体枠の、従来の接続部材の構造を説明するための図である。
【図７】加熱調理装置のドアと本体枠の、従来の接続部材の構造を説明するための図である。
【符号の説明】
１  電子レンジ
２  本体
３  ドア
５  本体枠
３１，１３１  回動板
３２，１３２  ドアアーム支点
３３，１３３  ドア回動支点
５０  加熱室
５５，１５５  ドアアーム
５５ａ，５５ｃ  折返し部
５６，１５６  ローラ台
５６ａ，１５５ａ  対向部
５７，１５７  ローラ
１５６ａ  ストッパ
【図１】
0003573926.tif 000002
【図２】
0003573926.tif 000003
【図３】
0003573926.tif 000004
【図４】
0003573926.tif 000005
【図５】
0003573926.tif 000006
【図６】
0003573926.tif 000007
【図７】
0003573926.tif 000008